(57)【特許請求の範囲】
【請求項１】
導線を巻回して形成したコイルと、該コイルを内蔵する素体を備えた表面実装インダクタにおいて、
該コイルは、断面が平角形状の導線の両端部が外周に位置する様に２段に巻回した第１の巻回部と、その内径が該第１の巻回部の外径以上となる様に該コイルの巻軸に沿って互いに反対方向に位置をずらして巻回した第２の巻回部を備え、それぞれの第２の巻回部の外周から該導線の端部を引き出して引き出し端部が形成され、
該素体は、該コイルの巻軸に挿入するための凸部と、実装面に該コイルの引き出し端部を引き出すためのスリットを有する１対の有底の磁性体コアが、該コイルの巻軸に該凸部を挿入することによりそれぞれ該コイルに取り付けられ、該１対の有底の磁性体コアの実装面が露出する様にモールド樹脂により封止されて形成され、
該コイルの巻軸が該素体の実装面と平行になる様に該素体内に該コイルが内蔵され、該コイルの引き出し端部が該磁性体コアの実装面と該実装面と隣接する面に延在し、該実装面と隣接する面に延在する該コイルの引き出し端が該モールド樹脂により封止されたことを特徴とする表面実装インダクタ。
【請求項２】
前記第２の巻回部を複数備える請求項１に記載の表面実装インダクタ。
【請求項３】
導線を巻回して形成したコイルと、該コイルを内蔵する素体を備えた表面実装インダクタにおいて、
該コイルは、断面が平角形状の導線の両端部が外周に位置する様に２段に巻回した第１の巻回部と、その内径が該第１の巻回部の外径以上となる様に該コイルの巻軸に沿って互いに反対方向に位置をずらして巻回した第２の巻回部と、その内径が該第２の巻回部の外径以上となる様に巻回された第３の巻回部を備え、それぞれの第３の巻回部の外周から該導線の端部を引き出して引き出し端部が形成され、
該素体は、該コイルの巻軸に挿入するための凸部と、実装面に該コイルの引き出し端部を引き出すためのスリットを有する１対の有底の磁性体コアが、該コイルの巻軸に該凸部を挿入することによりそれぞれ該コイルに取り付けられ、該１対の有底の磁性体コアの実装面が露出する様にモールド樹脂により封止されて形成され、
該コイルの巻軸が該素体の実装面と平行になる様に該素体内に該コイルが内蔵され、該コイルの引き出し端部が該磁性体コアの実装面と該実装面と隣接する面に延在し、該実装面と隣接する面に延在する該コイルの引き出し端が該モールド樹脂により封止されたことを特徴とする表面実装インダクタ。
【請求項４】
前記第２の巻回部が該コイルの巻軸に沿って斜めに傾斜している請求項３に記載の表面実装インダクタ。
【請求項５】
前記引き出し端部は、巻軸と垂直で、かつ、それぞれ互いに反対方向に引き出され、末端が上方に折り曲げられている請求項１乃至請求項４のいずれかに記載の表面実装インダクタ。
【請求項６】
前記磁性体コアの実装面は、該コイルの引き出し端部表面が露出する様に前記モールド樹脂で被覆されている請求項１乃至請求項５のいずれかに記載の表面実装インダクタ。
【請求項７】
前記磁性体コアの実装面に延在している前記コイルの引き出し端部により外部端子が構成される請求項１乃至請求項６のいずれかに記載の表面実装インダクタ。
【請求項８】
前記磁性体コアの実装面に延在している前記コイルの引き出し端部を覆う様に導電体が形成されて外部端子が構成される請求項１乃至請求項６のいずれかに記載の表面実装インダクタ。
【請求項９】
前記素体の上面と端面と側面を覆い、下端が該素体の実装面に形成された外部端子の表面と同一面まで到達する１対の金属体が、該素体の両端面に、それぞれ金属体と該素体の実装面に形成された外部端子の表面の間に隙間を有する様に取り付けられた請求項１乃至請求項８のいずれかに記載の表面実装インダクタ。
【請求項１０】
導線を巻回して形成したコイルと、該コイルを内蔵する素体を備えた表面実装インダクタの製造方法において、
断面が平角形状の導線の途中を巻線機のスピンドルに接触させ、導線の両端部が外周に位置する様に２段に巻回した第１の巻回部と、その内径が該第１の巻回部の外径以上となる様に該コイルの巻軸に沿って互いに反対方向に位置をずらして巻回した第２の巻回部を備え、それぞれの第２の巻回部の外周から該導線の端部を引き出して引き出し端部としたコイルを形成する工程と、
該コイルの両端から、該コイルの巻軸に挿入するための凸部と、実装面に該コイルの引き出し端部を引き出すためのスリットを有する１対の有底の磁性体コアを嵌め合わせ、これらを成形金型内に配置し、該１対の有底の磁性体コアの実装面が露出する様にモールド樹脂で封止して素体を形成する工程を備え、
該コイルの巻軸が該素体の実装面と平行になる様に該素体内に該コイルが内蔵され、該コイルの引き出し端部が該磁性体コアの実装面と該実装面と隣接する面に延在し、該実装面と隣接する面に延在する該コイルの引き出し端が該モールド樹脂により封止されたことを特徴とする表面実装インダクタの製造方法。
【請求項１１】
導線を巻回して形成したコイルと、該コイルを内蔵する素体を備えた表面実装インダクタの製造方法において、
断面が平角形状の導線の途中を巻線機のスピンドルに接触させ、導線の両端部が外周に位置する様に２段に巻回した第１の巻回部と、その内径が該第１の巻回部の外径以上となる様に該コイルの巻軸に沿って互いに反対方向に位置をずらして巻回した第２の巻回部と、その内径が該第２の巻回部の外径以上となる様に巻回された第３の巻回部を備え、それぞれの第３の巻回部の外周から該導線の端部を引き出して引き出し端部としたコイルを形成する工程と、
該コイルの両端から、該コイルの巻軸に挿入するための凸部と、実装面に該コイルの引き出し端部を引き出すためのスリットを有する１対の有底の磁性体コアを嵌め合わせ、これらを成形金型内に配置し、該１対の有底の磁性体コアの実装面が露出する様にモールド樹脂で封止して素体を形成する工程を備え、
該コイルの巻軸が該素体の実装面と平行になる様に該素体内に該コイルが内蔵され、該コイルの引き出し端部が該磁性体コアの実装面と該実装面と隣接する面に延在し、該実装面と隣接する面に延在する該コイルの引き出し端が該モールド樹脂により封止されたことを特徴とする表面実装インダクタの製造方法。
【請求項１２】
前記素体の上面と端面と側面を覆い、下端が該素体の実装面に形成された外部端子の表面と同一面まで到達する１対の金属体が、該素体の両端面に、それぞれ金属体と該素体の実装面に形成された外部端子の表面の間に隙間を有する様に取り付けられた請求項１０又は請求項１１に記載の表面実装インダクタの製造方法。
【発明の詳細な説明】
【技術分野】
【０００１】
本発明は、導線を巻回して形成したコイルと、コイルを内蔵する素体を備えた表面実装インダクタ及びその製造方法に関するものである。
【背景技術】
【０００２】
従来の表面実装インダクタに、図８に示す様に、断面が平角状の導線を、幅広面がコイルの巻軸と垂直になる様に巻回してコイル４１を形成し、コイル４１の引き出し端４１ｄを金属フレーム４５の接続部４５ａに接続し、コイル４１を内蔵する成形体４２を形成して、成形体４２から露出した金属フレーム４５を成形体に沿って折り曲げて外部端子としたものがある。
【先行技術文献】
【特許文献】
【０００３】
【特許文献１】特開２０１１−２４３７０３号公報
【発明の概要】
【発明が解決しようとする課題】
【０００４】
この様な従来の表面実装インダクタは、回路基板に実装するために金属フレームが必要となり、部品点数やコストが増加するという問題があった。また、従来の表面実装インダクタは、コイルと金属フレームに接続する際にコイルの引き出し端末を金属フレームに圧着や溶接する必要があるため、導線に機械的、熱的なストレスが加わり、不良が発生する要因になっていた。さらに、従来の表面実装インダクタは、コイルの巻軸が回路基板と垂直になっているため、方向性が発生し、方向性を判別する機能を設ける必要があった。
【０００５】
本発明は、不良の発生原因を低減し、部品点数が少なく、容易に加工、製造できると共に、方向性を判別する機能を設ける必要のない表面実装インダクタ及びその製造方法を提供することを目的とする。
【課題を解決するための手段】
【０００６】
本発明は、導線を巻回して形成したコイルと、コイルを内蔵する素体を備えた表面実装インダクタにおいて、コイルは、断面が平角形状の導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備え、それぞれの第２の巻回部の外周から導線の端部を引き出して引き出し端部が形成され、素体は、コイルの巻軸に挿入するための凸部と、実装面にコイルの引き出し端部を引き出すためのスリットを有する１対の有底の磁性体コアが、コイルの巻軸に凸部を挿入することによりそれぞれコイルに取り付けられ、１対の有底の磁性体コアの実装面が露出する様にモールド樹脂により封止されて形成され、コイルの巻軸が素体の実装面と平行になる様に素体内にコイルが内蔵され、コイルの引き出し端部が磁性体コアの実装面と実装面と隣接する面に延在し、実装面と隣接する面に延在するコイルの引き出し端がモールド樹脂により封止される。
また、本発明は、導線を巻回して形成したコイルと、コイルを内蔵する素体を備えた表面実装インダクタの製造方法において、断面が平角形状の導線の途中を巻線機のスピンドルに接触させ、導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備え、それぞれの第２の巻回部の外周から導線の端部を引き出して引き出し端部としたコイルを形成する工程と、コイルの両端から、コイルの巻軸に挿入するための凸部と、実装面にコイルの引き出し端部を引き出すためのスリットを有する１対の有底の磁性体コアを嵌め合わせ、これらを成形金型内に配置し、１対の有底の磁性体コアの実装面が露出する様にモールド樹脂で封止して素体を形成する工程を備え、コイルの巻軸が素体の実装面と平行になる様に素体内にコイルが内蔵され、コイルの引き出し端部が磁性体コアの実装面と実装面と隣接する面に延在し、実装面と隣接する面に延在するコイルの引き出し端がモールド樹脂により封止される。
【発明の効果】
【０００７】
本発明は、導線を巻回して形成したコイルと、コイルを内蔵する素体を備えた表面実装インダクタにおいて、コイルは、断面が平角形状の導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備え、それぞれの第２の巻回部の外周から導線の端部を引き出して引き出し端部が形成され、素体は、コイルの巻軸に挿入するための凸部と、実装面にコイルの引き出し端部を引き出すためのスリットを有する１対の有底の磁性体コアが、コイルの巻軸に凸部を挿入することによりそれぞれコイルに取り付けられ、１対の有底の磁性体コアの実装面が露出する様にモールド樹脂により封止されて形成され、コイルの巻軸が素体の実装面と平行になる様に素体内にコイルが内蔵され、コイルの引き出し端部が磁性体コアの実装面と実装面と隣接する面に延在し、実装面と隣接する面に延在するコイルの引き出し端がモールド樹脂により封止されるので、不良の発生原因を低減し、部品点数が少なく、容易に加工・製造できると共に、方向性を判別する機能を設ける必要をなくすことができる。
また、本発明は、導線を巻回して形成したコイルと、コイルを内蔵する素体を備えた表面実装インダクタの製造方法において、断面が平角形状の導線の途中を巻線機のスピンドルに接触させ、導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備え、それぞれの第２の巻回部の外周から導線の端部を引き出して引き出し端部としたコイルを形成する工程と、コイルの両端から、コイルの巻軸に挿入するための凸部と、実装面にコイルの引き出し端部を引き出すためのスリットを有する１対の有底の磁性体コアを嵌め合わせ、これらを成形金型内に配置し、１対の有底の磁性体コアの実装面が露出する様にモールド樹脂で封止して素体を形成する工程を備え、コイルの巻軸が素体の実装面と平行になる様に素体内にコイルが内蔵され、コイルの引き出し端部が磁性体コアの実装面と実装面と隣接する面に延在し、実装面と隣接する面に延在するコイルの引き出し端がモールド樹脂により封止されるので、不良の発生原因を低減し、部品点数が少なく、容易に加工、製造できると共に、方向性を判別する機能を設ける必要をなくすことができる。
【図面の簡単な説明】
【０００８】
【図１】本発明の表面実装インダクタの実施例を示す斜視図である。
【図２】本発明の表面実装インダクタに用いられるコイルの製造方法を説明する断面図である。
【図３】本発明の表面実装インダクタに用いられるコイルの斜視図である。
【図４】本発明の表面実装インダクタに用いられる磁性体コアの斜視図である。
【図５】本発明の表面実装インダクタの製造工程を説明するための斜視図である。
【図６】本発明の表面実装インダクタの製造工程を説明するための斜視図である。
【図７】本発明の表面実装インダクタの別の実施例を示す斜視図である。
【図８】従来の表面実装インダクタの上面透視図である。
【発明を実施するための形態】
【０００９】
本発明の表面実装インダクタは、導線を巻回して形成したコイルと、コイルを内蔵する素体を備える。コイルは、断面が平角形状の導線の幅広面を巻軸と平行にした状態で、導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備え、それぞれの第２の巻回部の外周から導線の端部を引き出して引き出し端部が形成される。素体は、コイルの巻軸に挿入するための凸部と、実装面にコイルの引き出し端部を引き出すためのスリットを有する１対の有底の磁性体コアが、コイルの巻軸に凸部を挿入することによりそれぞれコイルに取り付けられ、１対の有底の磁性体コアの実装面が露出する様にモールド樹脂により封止されて形成される。コイルは、その巻軸が素体の実装面と平行になる様に素体内に内蔵される。コイルの引き出し端部は、磁性体コアの実装面と実装面と隣接する面に延在し、実装面と隣接する面に延在するコイルの引き出し端がモールド樹脂により封止される。
従って、本発明の表面実装インダクタは、コイルの引き出し端部が素体の実装面に引き出されて外部端子が形成されるので、従来の様に金属フレームを用いる必要がなく、コイルと金属フレームに接続する際の圧着や溶接により導線に機械的、熱的なストレスが加わることがなく、また、コイルと金属フレームの接続状態や、金属フレーム及び金属フレームとコイルの接続部による抵抗の増加を考慮する必要がなくなる。
また、本発明の表面実装インダクタは、コイルの巻軸が素体の実装面と平行になるので、インダクタの方向性をなくすことができる。
さらに、本発明の表面実装インダクタは、断面が平角形状の導線の幅広面を巻軸と平行にした状態で、導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備えたコイルが形成されるので、コイルを製造する際に導線に加わるストレスを低減できる。
【実施例】
【００１０】
以下、本発明の表面実装インダクタ及びその製造方法を図１乃至図７を参照して説明する。
図１は、本発明の表面実装インダクタの実施例を示す斜視図である。
図１において、１１はコイル、１２は素体である。
コイル１１は、導線の両端部が外周に位置する様に２段に巻回した第１の巻回部１１ａと、その内径が第１の巻回部１１ａの外径以上となる様にコイルの巻軸に沿って互いに反対方向に位置をずらして巻回した第２の巻回部１１ｂと、その内径が第２の巻回部１１ｂの外径以上となる様にコイルの巻軸に沿って互いに反対方向に位置をずらして巻回した第３の巻回部１１ｃを備え、それぞれの第３の巻回部１１ｃの外周から導線の端部を引き出して引き出し端部が形成される。導線は、断面が平角形状に形成され、表面が絶縁体で被覆されたものが用いられる。
素体１２は、コイル１１の巻軸に挿入するための凸部と、実装面にコイルの引き出し端部を引き出すためのスリットをそれぞれ有する１対の有底の磁性体コア１２ａ、１２ｂを備え、この１対の有底の磁性体コア１２ａ、１２ｂをコイル１１に取り付けた状態で、磁性体コアの実装面が露出する様にモールド樹脂１２ｃで封止して形成される。１対の有底の磁性体コア１２ａ、１２ｂは、それぞれフェライトで形成される。コイル１１は、巻軸が素体１２の実装面と平行になる様に素体１２内に内蔵される。コイル１１の引き出し端部は、磁性体コア１２ａ、１２ｂの実装面と実装面と隣接する面に延在し、磁性体コア１２ａ、１２ｂの実装面と隣接する面に延在している部分がモールド樹脂１２ｃにより封止されることにより素体１２に固定される。
そして、このコイル１１の引き出し端部の素体１２の実装面に延在している部分の絶縁体被覆が除去されて外部端子として利用される。この時、図１に示す様に、コイル１１の引き出し端部の素体１２の実装面に延在している部分を覆う様に電極を形成して外部端子１３を構成しても良い。
【００１１】
この様な表面実装インダクタは以下の様にして製造される。まず、巻線機を用いて導線の両端部が外周に位置する様に巻回してコイルを形成する。導線は、断面が平角形状に形成され、表面が絶縁体で被覆されたものが用いられる。巻線機は、外径の異なる巻回部分をそれぞれ有する１対のスピンドルを備えたものが用いられる。巻線機の１対のスピンドルは、図２に示す様に、円柱状の第１の巻回部分２１ａと、第１の巻回部分２１ａと中心軸が一致して隣接し、第１の巻回部分２１ａの外径よりも大きい外径を有する円柱状の第２の巻回部分２１ｂと、第２の巻回部分２１ｂと中心軸が一致して隣接し、第２の巻回部分２１ｂの外径よりも大きい外径を有する円柱状の第３の巻回部分２１ｃと、第３の巻回部分２１ｃに隣接した鍔Ｆをそれぞれ備え、互いの第１の巻回部分２１ａの先端が向かい合って接触した状態で配置される。また、第１の巻回部分２１ａ、第２の巻回部分２１ｂ、第３の巻回部分２１ｃは、外周面における中心軸方向の長さが導線の幅広面とほぼ同じか又は導線の幅広面よりも長く形成される。この巻線機の第１の巻回部分２１ａに、導線の幅広面を第１の巻回部分２１ａの外周面と平行にした状態で、導線１０の途中を接触させて、第２の巻回部分２１ｂの外径よりも大きくならない様に中心軸方向に２段に巻回される。これにより、第１の巻回部分２１ａにコイルの第１の巻回部が形成される。
次に、導線の両端を第１の巻回部分２１ａからスピンドルの巻軸方向に沿って、互いに反対方向に位置をずらし、第２の巻回部分２１ｂに第３の巻回部分２１ｃの外径よりも大きくならない様に巻回してコイルの第２の巻回部が形成される。
続いて、導線の両端を第２の巻回部分２１ｂからスピンドルの巻軸方向に沿って、互いに反対方向に位置をずらし、第３の巻回部分２１ｃに巻回してコイルの第３の巻回部が形成される。
さらに、このコイルを加熱し、先端同士が接触した１対のスピンドルを互いに離間させてコイルを巻線機から取り外すことにより、図３に示す様に、断面が平角形状の導線の幅広面を巻軸と平行にした状態で、導線の両端部が外周に位置する様に２段に巻回した第１の巻回部１１ａと、その内径が第１の巻回部の外径以上となる様にコイルの巻軸に沿って互いに反対方向に位置をずらして巻回した第２の巻回部１１ｂと、その内径が第２の巻線部の外径以上となる様にコイルの巻軸に沿って互いに反対方向に位置をずらして巻回した第３の巻回部１１ｃを備えたコイル１１が形成される。
次に、図４に示す様な、コイルの巻軸に挿入する凸部Ｔと、実装面にコイルの引き出し端部を引き出すためのスリットＳと、実装面と対向する面の開口端側に設けられた孔Ｈと、実装面に隣接する面に形成された凹みＭを備えた１対の有底の磁性体コア１２ａ、１２ｂがコイル１１に取り付けられる。この１対の有底の磁性体コア１２ａ、１２ｂは、コイル１１の巻軸方向の両側からコイル１１の巻軸に凸部Ｔを挿入し、コイル１１の第３の巻回部１１ｃから引き出された引き出し端部をスリットＳに挿入することにより、コイル１１に取り付けられる。
さらに、１対の有底の磁性体コア１２ａ、１２ｂ内に収納されたコイル１１の第３の巻回部１１ｃから引き出された引き出し端部が、図５に示す様に、１対の有底の磁性体コア１２ａ、１２ｂの実装面とこの実装面に隣接する面に延在する様に、磁性体コア１２ａ、１２ｂに沿って折り曲げ加工がされる。コイル１１の第３の巻回部１１ｃから引き出された引き出し端部の磁性体コア１２ａ、１２ｂの実装面に隣接する面に延在する部分は、磁性体コア１２ａ、１２ｂの実装面から上方に折り曲げられ、磁性体コア１２ａ、１２ｂの実装面に隣接する面に形成された凹みＭ内に配置される。
続いて、この磁性体コア１２ａ、１２ｂの実装面に隣接する面に形成された凹みＭ内に配置されたコイル１１の引き出し端部の端は、図６に示す様に、接着剤Ｂにより、固定される。
またさらに、このコイル１１を内蔵させた磁性体コア１２ａ、１２ｂを、磁性体コア１２ａ、１２ｂの実装面を上に向けた状態で、成形金型内に配置し、成形金型内にモールド樹脂が充填される。モールド樹脂は、磁性体コア１２ａ、１２ｂの実装面が露出する様に、成形金型内に充填される。この時、磁性体コア１２ａ、１２ｂがスリットＳや孔Ｈを有しているため、磁性体コア１２ａ、１２ｂ内にもモールド樹脂を充分に充填することができ、磁性体コア１２ａ、１２ｂのスリットＳにおける磁性体コア１２ａ、１２ｂの実装面と同じ平面までモールド樹脂が充填される。
次に、モールド樹脂を硬化させ、成形金型から取り出すことにより、図１に示す様に、巻軸が実装面と平行になる様にコイル１１が内蔵され、コイル１１の引き出し端部が磁性体コアの実装面と実装面と隣接する面に延在し、磁性体コアの実装面が露出する様に全体がモールド樹脂により封止され、かつ、実装面と隣接する面に延在するコイルの引き出し端がモールド樹脂により封止された素体１２が形成される。
そして、磁性体コアの実装面により構成される素体の実装面に延在している部分の絶縁体被覆が除去されて外部端子として利用される。この時、図１に示す様に、コイル１１の引き出し端部の素体１２の実装面に延在している部分を覆う様に電極を形成して外部端子１３を構成しても良い。
【００１２】
図７は、本発明の表面実装インダクタの別の実施例を示す斜視図である。
コイル３１は、断面が平角形状に形成された導線の両端部が外周に位置する様に２段に巻回した第１の巻回部３１ａと、その内径が第１の巻回部３１ａの外径以上となる様にコイルの巻軸に沿って互いに反対方向に位置をずらして巻回した第２の巻回部３１ｂと、その内径が第２の巻回部３１ｂの外径以上となる様にコイルの巻軸に沿って互いに反対方向に位置をずらして巻回した第３の巻回部３１ｃを備え、それぞれの第３の巻回部３１ｃの外周から導線の端部を引き出して引き出し端部が形成される。
素体３２は、コイル３１の巻軸に挿入するための凸部と、実装面にコイルの引き出し端部を引き出すためのスリットをそれぞれ有する１対の有底の磁性体コアを備え、この１対の有底の磁性体コアをコイル３１に取り付けた状態で、後述の磁性体コアの実装面に延在するコイル３１の引き出し端部の表面が露出する様にモールド樹脂で封止して形成される。コイル３１は、巻軸が素体３２の実装面と平行になる様に素体３２内に内蔵される。コイル３１の引き出し端部は、磁性体コアの実装面と実装面と隣接する面に延在し、磁性体コアの実装面に延在している部分の表面以外がモールド樹脂により封止されることにより素体３２に固定される。
そして、このコイル３１の引き出し端部の素体３２の実装面に延在している部分の絶縁体被覆が除去されて外部端子として利用される。この時、図１に示す様に、コイル３１の引き出し端部の素体３２の実装面に延在している部分を覆う様に電極を形成して外部端子３３を構成しても良い。
また、素体３２には、１対の金属体３４ａ、３４ｂが取り付けられる。１対の金属体３４ａ、３４ｂは、素体３２の上面と、端面と、その両方に隣接する側面を覆い、下端が素体３２の実装面に形成された外部端子３３の表面と同一面まで到達する様に形成される。この１対の金属体３４ａ、３４ｂが、素体３２の両端面に、金属体３４ａ、３４ｂと外部端子３３の表面との間に隙間を有する様に取り付けられる。この時、金属体３４ａと金属体３４ｂは、互いに接触しない様に離間して取り付けられる。
【００１３】
この様な表面実装インダクタは前述の実施例と同様に製造した後、素体３２の上面と、端面と、その両方に隣接する側面を覆う１対の金属体３４ａ、３４ｂが、素体３２の両端面に、金属体３４ａ、３４ｂと外部端子３３の表面との間に隙間を有する様に取り付けられる。
【００１４】
この様に形成された表面実装インダクタは、基板に実装し、配線パターンにはんだで接続する際に、金属体３４ａ、３４ｂと外部端子３３間に形成された隙間にはんだのフィレットを侵入させることができ、表面実装インダクタを基板に強固に固定できる。
【００１５】
以上、本発明の表面実装インダクタ及びその製造方法の実施例を述べたが、本発明はこの実施例に限られるものではない。例えば、第２の巻回部は、複数有していたり、巻軸に沿って斜めに傾斜して形成されたりしても良い。また、実施例では、コイルは、第１の巻回部と、第２の巻回部と、第３の巻回部を有しているものを示したが、断面が平角形状の導線の両端部が外周に位置する様に２段に巻回した第１の巻回部と、その内径が第１の巻回部の外径以上となる様にコイルの巻軸に沿って互いに反対方向に位置をずらして巻回した第２の巻回部を備え、それぞれの第２の巻回部の外周から導線の端部を引き出して引き出し端部が形成されたものでも適用できる。さらに、最初の実施例において、磁性体コアの実装面が、コイルの引き出し端部の表面が露出する様にモールド樹脂で被覆されていても良い。またさらに、モールド樹脂にフェライト粉が混合されても良い。
【符号の説明】
【００１６】
１１  コイル
１２  素体
【図１】
0006299567.tif 000002
【図２】
0006299567.tif 000003
【図３】
0006299567.tif 000004
【図４】
0006299567.tif 000005
【図５】
0006299567.tif 000006
【図６】
0006299567.tif 000007
【図７】
0006299567.tif 000008
【図８】
0006299567.tif 000009